【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】  
【請求項１】  無線周波数波を受信し、かつ／または送信するための操向可能なアンテナであって、
（ａ）同調可能な高インピーダンス表面と、
（ｂ）前記表面上に配置された少なくとも１つのエンドファイアアンテナと
を具備するアンテナ。
【請求項２】  前記エンドファイアアンテナが、フレアノッチアンテナであり、そして／または、前記エンドファイアアンテナが、フレアノッチアンテナのアレイであり、そして／または、前記エンドファイアアンテナが、フレアノッチアンテナの線形アレイであり、そして／または、前記エンドファイアアンテナが、八木宇田アンテナであり、そして／または、前記エンドファイアアンテナが、八木宇田アンテナのアレイであり、そして／または、前記エンドファイアアンテナが、八木宇田アンテナの線形アレイである、請求項１に記載の操向可能なアンテナ。
【請求項３】  前記同調可能な高インピーダンス表面が、少なくとも２つの相対的に移動可能な絶縁基板を含んでおり、前記少なくとも２つの相対的に移動可能な絶縁基板の第１の１つが、その主要表面上に配置された要素のアレイと、その他の１つの主要表面上に配置された接地平面とを有しており、前記少なくとも２つの相対的に移動可能な絶縁基板の第２の１つが、その上に配置された要素のアレイを有しており、前記少なくとも２つの相対的に移動可能な絶縁基板の前記第２の１つ上の要素の前記アレイが、前記少なくとも２つの相対的に移動可能な絶縁基板の前記第２の１つを介して、前記少なくとも２つの相対的に移動可能な絶縁基板の前記第１の１つ上の要素の前記アレイに対向しており、そして／または、２つの相対的に移動可能な絶縁基板が、それぞれ前記無線周波数波の波長より短い厚さを有しており、そして／または、前記２つの相対的に移動可能な絶縁基板上に配置された要素の前記アレイを形成する前記要素が、それぞれ前記無線周波数波の波長より小さい最大寸法を有する、請求項１に記載の操向可能なアンテナ。
【請求項４】  前記同調可能な高インピーダンス表面が、その主要表面上に配置された要素のアレイ、およびその他の１つの主要表面上に配置された接地平面を有する絶縁基板と、前記アレイの隣接する要素のキャパシタンスを制御可能に変化させるためのコンデンサ装置とを含む、請求項１に記載の操向可能なアンテナ。
【請求項５】  アンテナによって受信され、かつ／またはアンテナから送信される無線周波数波を操向する方法であって、
（ａ）同調可能な高インピーダンス表面を設ける工程、
（ｂ）前記表面上に少なくとも１つのエンドファイアアンテナを配置する工程、および、
（ｃ）前記同調可能な高インピーダンス表面のインピーダンスを変化させる工程
を含む方法。
【請求項６】  前記エンドファイアアンテナがフレアノッチアンテナであり、そして／または、前記エンドファイアアンテナが、フレアノッチアンテナのアレイであり、そして／または、前記エンドファイアアンテナが、フレアノッチアンテナの線形アレイであり、そして／または、前記エンドファイアアンテナが、八木宇田アンテナであり、そして／または、前記エンドファイアアンテナが、八木宇田アンテナのアレイであり、そして／または、前記エンドファイアアンテナが、八木宇田アンテナの線形アレイである、請求項５に記載の方法。
【請求項７】  前記同調可能な高インピーダンス表面が、少なくとも２つの相対的に移動可能な絶縁基板を含んでおり、前記少なくとも２つの相対的に移動可能な絶縁基板の第１の１つが、その主要表面上に配置された要素のアレイと、その他のつの主要表面上に配置された接地平面とを有しており、前記少なくとも２つの相対的に移動可能な絶縁基板の第２の１つが、その上に配置された要素のアレイを有しており、前記少なくとも２つの相対的に移動可能な絶縁基板の前記第２の１つ上の要素の前記アレイが、前記少なくとも２つの相対的に移動可能な絶縁基板の前記第２の１つを介して、前記少なくとも２つの相対的に移動可能な絶縁基板の前記第１の１つ上の要素の前記アレイに対向しており、そして、前記同調可能な高インピーダンス表面のインピーダンスを変化させる工程が、前記第１および第２の絶縁基板を互いに対して移動させることを含み、そして／または、２つの相対的に移動可能な絶縁基板が、それぞれ前記無線周波数波の波長より短い厚さを有しており、そして／または、前記２つの相対的に移動可能な絶縁基板上に配置された要素の前記アレイを形成する前記要素が、それぞれ前記無線周波数波の波長より小さい最大寸法を有する、請求項５に記載の方法。
【請求項８】  前記同調可能な高インピーダンス表面が、その主要表面上に配置された要素のアレイ、およびその他の１つの主要表面上に配置された接地平面を有する絶縁基板と、前記アレイの隣接する要素のキャパシタンスを制御可能に変化させるためのコンデンサ装置とを含んでおり、そして、前記同調可能な高インピーダンス表面のインピーダンスを変化させる工程が、前記アレイの隣接する要素のキャパシタンスを変化させることを含む、請求項５に記載の方法。
【請求項９】  無線周波数ビームを送信するための操向可能なアンテナであって、
（ａ）同調可能なインピーダンス表面と、
（ｂ）前記表面上に配置された少なくとも１つのエンドファイアアンテナと、
（ｃ）前記同調可能なインピーダンス表面に対する無線周波数ビームの送信角度を制御するために、前記同調可能なインピーダンス表面のインピーダンスを同調する手段と
を具備する操向可能なアンテナ。
【請求項１０】  前記エンドファイアアンテナが、フレアノッチアンテナであり、そして／または、前記エンドファイアアンテナが、フレアノッチアンテナのアレイであり、そして／または、前記エンドファイアアンテナが、フレアノッチアンテナの線形アレイであり、そして／または、前記エンドファイアアンテナが、八木宇田アンテナであり、そして／または、前記エンドファイアアンテナが、八木宇田アンテナのアレイであり、そして／または、前記エンドファイアアンテナが、八木宇田アンテナの線形アレイである、請求項９に記載の操向可能なアンテナ。
【請求項１１】  前記同調可能な高インピーダンス表面が、少なくとも２つの相対的に移動可能な絶縁基板を含んでおり、前記少なくとも２つの相対的に移動可能な絶縁基板の第１の１つが、その主要表面上に配置された要素のアレイと、その他の１つの主要表面上に配置された接地平面とを有しており、前記少なくとも２つの相対的に移動可能な絶縁基板の第２の１つが、その上に配置された要素のアレイを有しており、前記少なくとも２つの相対的に移動可能な絶縁基板の前記第２の１つ上の要素の前記アレイが、前記少なくとも２つの相対的に移動可能な絶縁基板の前記第２の１つを介して、前記少なくとも２つの相対的に移動可能な絶縁基板の前記第１の１つ上の要素の前記アレイに対向しており、そして／または、前記同調する手段は、前記少なくとも２つの相対的に移動可能な絶縁基板を相互に移動させるための機械的な手段であり、そして／または、２つの相対的に移動可能な絶縁基板が、それぞれ前記無線周波数波の波長より短い厚さを有しており、そして／または、前記２つの相対的に移動可能な絶縁基板上に配置された要素の前記アレイを形成する前記要素が、それぞれ前記無線周波数波の波長より小さい最大寸法を有する、請求項１に記載の操向可能なアンテナ。
【請求項１２】  前記同調可能なインピーダンス表面が、その主要表面上に配置された要素のアレイ、およびその他の１つの主要表面上に配置された接地平面を有する絶縁基板と、前記アレイの隣接する要素のキャパシタンスを制御可能に変化させるためのコンデンサ装置とを含む、請求項９に記載の操向可能なアンテナ。
【請求項１３】  無線周波数波を受信するための操向可能なアンテナシステムであって、
（ａ）同調可能なインピーダンス表面と、
（ｂ）前記表面上に配置された少なくとも１つのエンドファイアアンテナと、
（ｃ）前記同調可能なインピーダンス表面に対する仰角方向における、無線周波数波に対する前記エンドファイアアンテナの感度を制御するために、前記同調可能なインピーダンス表面のインピーダンスを同調する手段と
を具備する操向可能なアンテナ。
【請求項１４】  前記エンドファイアアンテナが、フレアノッチアンテナであり、そして／または、前記エンドファイアアンテナが、フレアノッチアンテナのアレイであり、そして／または、前記エンドファイアアンテナが、フレアノッチアンテナの線形アレイであり、そして／または、前記エンドファイアアンテナが、八木宇田アンテナであり、そして／または、前記エンドファイアアンテナが、八木宇田アンテナのアレイであり、そして／または、前記エンドファイアアンテナが、八木宇田アンテナの線形アレイである、請求項１３に記載の操向可能なアンテナ。
【請求項１５】  前記同調可能な高インピーダンス表面が、少なくとも２つの相対的に移動可能な絶縁基板を含んでおり、前記少なくとも２つの相対的に移動可能な絶縁基板の第１の１つが、その主要表面上に配置された要素のアレイと、その他の１つの主要表面上に配置された接地平面とを有しており、前記少なくとも２つの相対的に移動可能な絶縁基板の第２の１つが、その上に配置された要素のアレイを有しており、前記少なくとも２つの相対的に移動可能な絶縁基板の前記第２の１つ上の要素の前記アレイが、前記少なくとも２つの相対的に移動可能な絶縁基板の前記第２の１つを介して、前記少なくとも２つの相対的に移動可能な絶縁基板の前記第１の１つ上の要素の前記アレイに対向しており、そして／または、前記同調する手段は、前記少なくとも２つの相対的に移動可能な絶縁基板を相互に移動させるための機械的な手段であり、そして／または、２つの相対的に移動可能な絶縁基板が、それぞれ前記無線周波数波の波長より短い厚さを有しており、そして／または、前記２つの相対的に移動可能な絶縁基板上に配置された要素の前記アレイを形成する前記要素が、それぞれ前記無線周波数波の波長より小さい最大寸法を有する、請求項１３に記載の操向可能なアンテナ。
【請求項１６】  前記同調可能なインピーダンス表面が、その主要表面上に配置された要素のアレイ、およびその他の１つの主要表面上に配置された接地平面を有する絶縁基板と、前記アレイの隣接する要素のキャパシタンスを制御可能に変化させるためのコンデンサ装置とを含む、請求項１３に記載の操向可能なアンテナ。
【請求項１７】  受信した無線周波数波に対するエンドファイアアンテナの感度を操向する方法であって、
（ａ）同調可能なインピーダンス表面を設ける工程、
（ｂ）前記表面上に少なくとも１つのエンドファイアアンテナを配置する工程、および、
（ｃ）前記同調可能なインピーダンス表面のインピーダンスを変化させて、前記同調可能なインピーダンス表面に対する、仰角方向におけるエンドファイアアンテナの感度に影響を与える工程
を含む方法。
【請求項１８】  前記エンドファイアアンテナがフレアノッチアンテナであり、そして／または、前記エンドファイアアンテナが、フレアノッチアンテナのアレイであり、そして／または、前記エンドファイアアンテナが、フレアノッチアンテナの線形アレイであり、そして／または、前記エンドファイアアンテナが、八木宇田アンテナであり、そして／または、前記エンドファイアアンテナが、八木宇田アンテナのアレイであり、そして／または、前記エンドファイアアンテナが、八木宇田アンテナの線形アレイである、請求項１７に記載の方法。
【請求項１９】  前記同調可能な高インピーダンス表面が、少なくとも２つの相対的に移動可能な絶縁基板を含んでおり、前記少なくとも２つの相対的に移動可能な絶縁基板の第１の１つが、その主要表面上に配置された要素のアレイと、その他のつの主要表面上に配置された接地平面とを有しており、前記少なくとも２つの相対的に移動可能な絶縁基板の第２の１つが、その上に配置された要素のアレイを有しており、前記少なくとも２つの相対的に移動可能な絶縁基板の前記第２の１つ上の要素の前記アレイが、前記少なくとも２つの相対的に移動可能な絶縁基板の前記第２の１つを介して、前記少なくとも２つの相対的に移動可能な絶縁基板の前記第１の１つ上の要素の前記アレイに対向しており、そして、前記同調可能な高インピーダンス表面のインピーダンスを変化させる工程が、前記第１および第２の絶縁基板を互いに対して移動させることを含み、そして／または、２つの相対的に移動可能な絶縁基板が、それぞれ前記無線周波数波の波長より短い厚さを有しており、そして／または、前記２つの相対的に移動可能な絶縁基板上に配置された要素の前記アレイを形成する前記要素が、それぞれ前記無線周波数波の波長より小さい最大寸法を有する、請求項１７に記載の方法。
【請求項２０】  前記同調可能な高インピーダンス表面が、その主要表面上に配置された要素のアレイ、およびその他の１つの主要表面上に配置された接地平面を有する絶縁基板と、前記アレイの隣接する要素のキャパシタンスを制御可能に変化させるためのコンデンサ装置とを含んでおり、そして、前記同調可能な高インピーダンス表面のインピーダンスを変化させる工程が、前記アレイの隣接する要素のキャパシタンスを変化させることを含む、請求項１７に記載の方法。